(57)【要約】  本明細書で開示されるのは、環境の空間プロファイルの推定を、光検出及び測距（ＬｉＤＡＲ：ｌｉｇｈｔ  ｄｅｔｅｃｔｉｏｎ  ａｎｄ  ｒａｎｇｉｎｇ）に基づく技術に基づいて、促進するためのシステム及び方法である。通信ニーズのための光エネルギーを再利用することにより、本開示は、自由空間光通信を促進すると同時に、光学手段による空間プロファイル推定を促進する。【選択図】図１
2020531836.tif 000002
【特許請求の範囲】
【請求項１】
環境の空間プロファイルの推定を促進するためのシステムであって、
送出光を供給するように構成された光源と、
前記送出光を、１つ又はそれ以上の方向に沿って前記環境内に差し向けるように構成されたビームディレクタであって、前記差し向けられる光には、前記１つ又はそれ以上の方向の内の少なくとも１つの方向において到達可能な第１の通信受信器によって受信される送出通信情報が付与される、ビームディレクタと、
入来光を検出するように構成された光検出器であって、前記入来光は前記環境によって反射された前記送出光の少なくとも一部分に対応する、光検出器と、
を含み、
前記検出された光に関連付けられる少なくとも１つの特徴は、前記１つ又はそれ以上の送出方向に関連付けられる前記環境の前記空間プロファイルの推定のための距離情報を含み、
前記送出光は、１つ又はそれ以上の選択された波長チャネルにおいて、前記１つ又はそれ以上の選択された波長チャネルのそれぞれに対応する前記１つ又はそれ以上の方向に供給される、
システム。
【請求項２】
前記送出光は、前記送出光を符号化するための最大長ベースのシーケンス（ＭＬＳ、ｍａｘｉｍｕｍ−ｌｅｎｇｔｈ−ｂａｓｅｄ  ｓｅｑｕｅｎｃｅ）を含む、請求項１に記載のシステム。
【請求項３】
前記光源は、前記通信情報を前記ＭＬＳ上の帯域内周波数において符号化するための符号化器を含む、請求項２に記載のシステム。
【請求項４】
前記光源は、前記通信情報を前記ＭＬＳ上の帯域外周波数において符号化するための符号化器を含む、請求項２に記載のシステム。
【請求項５】
前記送出光は、バーカーコード（Ｂａｒｋｅｒ  ｃｏｄｅ）を含む、請求項１〜４の何れか一項に記載のシステム。
【請求項６】
前記ビームディレクタは、拡大光学系に自由空間結合された分散素子を備える、請求項１〜５の何れか一項に記載のシステム。
【請求項７】
前記推定された空間プロファイルに基づいて、前記１つ又はそれ以上の方向の内の少なくとも１つを決定するためのプロセッサをさらに含む、請求項１〜６の何れか一項に記載のシステム。
【請求項８】
前記プロセッサは、前記推定された空間プロファイル内の認識可能物体プロファイルに基づいて、指向性通信を促進するための１つ又はそれ以上の選択される方向を決定するように構成される、請求項６に記載のシステム。
【請求項９】
前記１つ又はそれ以上の方向の内の前記少なくとも１つは、同報通信を促進するために前記１つ又はそれ以上の方向の全てを含む、請求項１〜６の何れか一項に記載のシステム。
【請求項１０】
前記第１の通信受信機は通信送信器に結合され、前記光検出器は、前記通信送信器から、入来通信情報を付与された光を受信するための第２の通信受信器を含む、請求項１〜９の何れか一項に記載のシステム。
【請求項１１】
前記システムは道路車両内に配置され、前記第１の通信受信器及び／又は前記通信送信器は路側ユニット内に配置される、請求項１〜１０の何れか一項に記載のシステム。
【請求項１２】
前記システムは第１の道路車両内に配置され、前記第１の通信受信器及び／又は前記通信送信器は第２の道路車両内に配置される、請求項１〜１１の何れか一項に記載のシステム。
【請求項１３】
前記システムは鉄道車両内に配置され、前記第１の通信受信器及び／又は前記通信送信器は鉄路側ユニット内に配置される、請求項１〜１２の何れか一項に記載のシステム。
【請求項１４】
前記システムは第１の鉄道車両内に配置され、前記第１の通信受信器及び／又は前記通信送信器は第２の鉄道車両内に配置される、請求項１〜１３の何れか一項に記載のシステム。
【請求項１５】
環境の空間プロファイルの推定を促進する方法であって、
１つ又はそれ以上の選択された波長チャネルにおいて、送出光を、波長に基づいて受信された光を差し向けるビームディレクタに供給するステップと、
前記ビームディレクタによって、前記送出光を、前記環境内に１つ又はそれ以上の方向に沿って差し向けるステップであって、前記差し向けられる光には、前記１つ又はそれ以上の方向の内の少なくとも１つにおいて到達可能な第１の通信受信器によって受信される送出通信情報が付与される、ステップと、
前記環境によって反射された前記送出光の少なくとも一部分に対応する入来光を検出するステップと、
を含み、
前記検出された光に関連付けられる少なくとも１つの特徴は、前記１つ又はそれ以上の送出方向に関連付けられる前記環境の前記空間プロファイルの推定のための距離情報を含む、
方法。
【請求項１６】
前記第１の通信受信器に差し向けられるさらに別の送出通信情報が付与された光に関して１つ又はそれ以上の選択された方向を決定するステップと、
前記１つ又はそれ以上の選択された方向に沿ってさらに別の送出光を前記環境内に差し向けるステップであって、前記さらに別の差し向けられる光には、前記第１の通信受信器によって受信されるさらに別の送出通信情報が付与される、ステップと、
をさらに含む、請求項１５に記載の方法。
【請求項１７】
前記ビームディレクタは、拡大光学系に自由空間結合された分散素子を備える、請求項１５又は請求項１６に記載の方法。
【請求項１８】
前記送出光を供給するプロセス、前記送出光を差し向けるプロセス及び前記入来光を検出するプロセスは、第１のユニットによって実行され、前記方法は、
さらに、前記送出光を供給するプロセス、前記送出光を差し向けるプロセス及び前記入来光を検出するプロセスを、前記第１のユニットの前記環境内に配置された第２のユニットにおいて実行するステップと、
前記第２のユニットから前記第１のユニットへ、前記第２のユニットによる検出に基づく情報を通信するステップと、
前記通信された情報を、前記第１のユニットの空間プロファイリング範囲を効果的に拡張するように、利用するステップと、
をさらに含む、請求項１５〜１７の何れか一項に記載の方法。
【発明の詳細な説明】
【技術分野】
【０００１】
本発明は一般に環境の空間プロファイルの推定を促進するためのシステム及び方法に関する。より具体的には、本発明は、自由空間光通信を促進すると同時に、光学手段による環境の空間プロファイルの推定を促進することに関する。
【背景技術】
【０００２】
空間プロファイリングは、所望の視野から眺められる環境のマッピングを指す。視野内の各々の点又はピクセルは、環境の表現を形成するように距離に関連付けられる。空間プロファイルは環境内の物体及び／又は障害物を識別し、それにより仕事の自動操作を促進するのに有用であり得る。
【０００３】
空間プロファイリングの１つの技術は、光を環境内に特定の方向に送るステップと、その方向からの、例えば、環境内の反射表面によって反射される、いずれかの反射光を検出するステップとを含む。反射光は、反射表面までの距離を決定するための関連情報を運ぶ。特定の方向及び距離の組み合わせは、環境の表現の中の点又はピクセルを形成する。上記のステップは、表現の他の点又はピクセルを形成するように、複数の異なる方向に対して繰り返すことができ、それにより所望の視野内の環境の空間プロファイルの推定を促進する。
【０００４】
本明細書においては、どのような従来技術に対する参照も、この従来技術がいかなる権限においても一般共通知識の部分を形成すること、又はこの従来技術が、当業者により、従来技術の他の部分に関連する及び／又は組み合わせられると理解され、見なされると合理的に予期される可能性があること、の承認又はいかなる形での示唆ではなく、また、そのように取られるべきではない。
【発明の概要】
【課題を解決するための手段】
【０００５】
本開示の第１の態様により、環境の空間プロファイルの推定を促進するためのシステムであって、
送出光を供給するように構成された光源と、
送出光を１つ又はそれ以上の方向に沿って環境内に差し向けるように構成されたビームディレクタであって、差し向けられる光には１つ又はそれ以上の方向のうちの少なくとも１つにおいて到達可能な第１の通信受信器によって受信される送出通信情報が付与される、ビームディレクタと、
入来光を検出するように構成された光検出器であって、入来光は環境によって反射された送出光の少なくとも一部分に対応する、光検出器と、
を備え、
検出された光に関連付けられる少なくとも１つの特徴は、１つ又はそれ以上の送出方向に関連付けられる環境の空間プロファイルの推定のための距離情報を含む、
システムが提供される。
【０００６】
幾つかの実施形態において、送出光は、１つ又はそれ以上の選択された波長チャネルにおいて、１つ又はそれ以上の選択された波長チャネルのそれぞれに対応する１つ又はそれ以上の方向に、供給される。
【０００７】
幾つかの実施形態において、送出光は、送出光を符号化するための最大長ベースのシーケンス（ＭＬＳ、ｍａｘｉｍｕｍ−ｌｅｎｇｔｈ−ｂａｓｅｄ  ｓｅｑｕｅｎｃｅ）を含む。光源は、通信情報をＭＬＳ上の帯域内周波数において符号化するための符号化器を含むことができる。代替的に、光源は、通信情報をＭＬＳ上の帯域外周波数において符号化するための符号化器を含むことができる。
【０００８】
幾つかの実施形態において、送出光はバーカーコード（Ｂａｒｋｅｒ  ｃｏｄｅ）を含む。
【０００９】
幾つかの実施形態において、送出光は１つ又はそれ以上の選択された波長チャネルにおいて、１つ又はそれ以上の選択された波長チャネルのそれぞれに対応する１つ又はそれ以上の方向に、供給される。
【００１０】
幾つかの実施形態において、システムは、推定された空間プロファイルに基づいて、１つ又はそれ以上の方向のうちの少なくとも１つを決定するためのプロセッサをさらに含む。プロセッサは、推定された空間プロファイル内の認識可能物体プロファイルに基づいて、指向性通信を促進するように１つ又はそれ以上の選択された方向を決定するように構成される。
【００１１】
幾つかの実施形態において、ビームディレクタは、拡大光学系に自由空間結合された分散素子を含む。
【００１２】
幾つかの実施形態において、１つ又はそれ以上の方向の内の少なくとも１つは、同報通信を促進するために、１つ又はそれ以上の方向の全てを含む。
【００１３】
幾つかの実施形態において、第１の通信受信器が通信送信器に結合され、光検出器は、通信送信器から入来通信情報を付与された光を受信する、第２の通信受信器を含む。
【００１４】
幾つかの実施形態において、本システムは道路車両内に配置され、第１の通信受信器及び／又は通信送信器が路側ユニット内に配置される。
【００１５】
幾つかの実施形態において、本システムは第１の道路車両内に配置され、第１の通信受信器及び／又は通信送信器が第２の道路車両内に配置される。
【００１６】
幾つかの実施形態において、本システムは鉄道車両内に配置され、第１の通信受信器及び／又は通信送信器が鉄路側ユニット内に配置される。
【００１７】
幾つかの実施形態において、本システムは第１の鉄道車両内に配置され、第１の通信受信器及び／又は通信送信器が第２の鉄道車両内に配置される。
【００１８】
本開示の第２の態様により、環境の空間プロファイルの推定を促進するための方法であって、
送出光を供給するステップと、
送出光を１つ又はそれ以上の方向に沿って環境内に差し向けるステップであって、差し向けられる光には１つ又はそれ以上の方向の内の少なくとも１つにおいて到達可能な、第１の通信受信器によって受信される送出通信情報が付与される、ステップと、
環境によって反射された送出光の少なくとも一部分に対応する入来光を検出するステップと、
を含み、
検出される光に関連付けられる少なくとも１つの特徴は、１つ又はそれ以上の送出方向に関連付けられる環境の空間プロファイルの推定のための距離情報を含む、
方法が提供される。
【００１９】
幾つかの実施形態において、送出光は１つ又はそれ以上の選択された波長チャネルにおいて、１つ又はそれ以上の選択された波長チャネルのそれぞれに対応する１つ又はそれ以上の方向に、供給される。
【００２０】
幾つかの実施形態において、本方法は、
第１の通信受信器へ差し向けられるさらに別の送出通信情報を付与された光の１つ又はそれ以上の選択された方向を決定するステップと、
さらに別の送出光を１つ又はそれ以上の選択された方向に沿って環境内に差し向けるステップと、
をさらに含み、
さらに別の差し向けられる光には第１の通信受信器によって受信される別の送出通信情報を付与される。
【００２１】
幾つかの実施形態において、前段に記載された方法の一実施形態を各々が実行する少なくとも２つのユニットが存在し、本方法は、１つのユニットから、そのユニットによる検出に基づく情報を別のユニットへ通信するステップと、その通信情報を、他のユニットの空間プロファイリング範囲を効果的に広げるように利用するステップと、をさらに含む。
【００２２】
本開示の第３の態様により、通信受信器が内部に配置される環境の空間プロファイルの推定を促進するためのシステムから差し向けられる、通信情報が付与される光を受信する通信受信器が提供される。
【００２３】
幾つかの実施形態において、通信受信器は、システムによって認識可能な、認識可能物体プロファイルをさらに含む。
【００２４】
幾つかの実施形態において、通信受信器は、閾値視野より大きい視野を有する。
【００２５】
幾つかの実施形態において、通信受信器は、調節可能視野を有する。
【００２６】
本開示の第４の態様により、複数の送信器及び複数の受信器を備える通信ネットワークが提供され、ここで、複数の送信器は各々、送出光を供給するように構成された光源と、送出光を１つ又はそれ以上の方向に沿って環境内に差し向けるように構成されたビームディレクタとを備え、差し向けられる光には送出通信情報が付与され、複数の受信器は、前記送信器の内の少なくとも１つから差し向けられた光を受信し、ネットワークは、異なる物理的位置に第１の前記送信器及び第１の送信器と通信する第１の前記受信器を備える少なくとも２つの静止ユニットと、第２の前記受信器及び第２の前記送信器を備え、通信ネットワーク内で、アドホック通信ノードを提供する少なくとも１つの可動ユニットと、を備える。
【００２７】
幾つかの実施形態において、少なくとも２つの静止ユニットの内の少なくとも１つ及び少なくとも１つの可動ユニットは、そのユニットの周りの環境の空間プロファイリング情報を収集し、空間プロファイリング情報を別のユニットに通信するように構成される。
【００２８】
ユニットの各々は、本明細書で開示される環境の空間プロファイルの推定を促進するためのシステムの何れかの実施形態の特徴を有することができる。
【００２９】
本開示のさらに別の態様、及び前段に記載された態様のさらに別の実施形態は、例として与えられた、添付の図面に関連する以下の説明から明白となるであろう。
【図面の簡単な説明】
【００３０】
【図１】環境の空間プロファイルの推定を促進するためのシステムの一配置を示す。
【図２】通信受信器及び通信送信器を含む環境の中の、図１のシステムを示す。
【図３】環境の空間プロファイルの推定を促進する方法の概要を示す。
【図４】本開示のユースケースシナリオを示す。
【発明を実施するための形態】
【００３１】
本明細書で開示されるのは、環境の空間プロファイルの推定を、光検出及び測距（ＬｉＤＡＲ：ｌｉｇｈｔ  ｄｅｔｅｃｔｉｏｎ  ａｎｄ  ｒａｎｇｉｎｇ）に基づく技術に基づいて、促進するためのシステム及び方法である。「光」は、以下では、遠赤外線、赤外線、可視光線及び紫外線を含む、光学周波数を有する電磁放射を含む。一般に、ＬｉＤＡＲは、環境内へ光を送ること、及び次に環境によって反射された光を検出することを含む。光が往復するのに要する時間、及びそれ故に、視野内の反射表面の距離を決定することによって、環境の空間プロファイルの推定を形成することができる。一配置において、本開示は、一次元にわたり、例えば、垂直方向に沿って、光を差し向けることに基づいて、空間プロファイル推定を促進する。別の配置において、一次元に差し向けられた光を別の次元、例えば、水平方向に沿って、さらに差し向けることにより、本開示は、２次元において光を差し向けることに基づいて、空間プロファイル推定を促進する。
【００３２】
本開示の開示者（単数又は複数）は、空間プロファイリングされる環境の一部分が光受信器を含む場合、通信目的の情報を運ぶために送信光を付加的に使用することができることを認識している。図４に示されるように、送信光４００Ａ、４００Ｂ、４００Ｃが可動ユニット（例えば、道路車両４０２又は鉄道車両（図示せず））から生じる交通の文脈において、光受信器を別の可動ユニット（例えば、別の道路車両４０４又は鉄道車両（図示せず））又は静止ユニット（例えば、路側ユニット、例えば、交通信号灯４０６、ビルディング４０８又は鉄道信号ユニット（図示せず））の上に配置することができる。別の可動ユニットとの通信は、アドホックな及びポイントツー−ポイントのベースで交通安全性を向上させる（例えば、互いの衝突を避ける）ことができる。この種の通信は、可動ユニットの可能的に急速に変化する相対的運動に敏感な、遅延の小さい通信を必要とする。他方で、静止ユニットによる通信は、位置関係ベースの情報を提供するため（例えば、周囲のユニットに前方の危険を警告するため、又は交通データを回収するため）、或いは、より広域のネットワーク（例えば、インターネット）への情報のダウンロード又はアップロードを可能にするためとすることができる。
【００３３】
複数のユニット（例えば、４０２、４０４、４０６及び４０８）を接続して、通信ネットワークを形成し、拡張し、又はリルートすることができる。例えば、静止ユニットをビルディングの屋上に（４０８等）配置して通信ノードを形成することができ、他方、可動ユニット（４０２及び４０４等）は、通信ネットワークに帯域幅又は容量を付加するためのアドホック通信ノードとして作用することができる。非自由空間光通信（即ち、光ファイバー通信）と比べると、自由空間光通信は、光ファイバ内よりも自由空間（又は空気）内の光のより高速度のために、より低い遅延を有する。別の例として、一つのユニット（例えば、４０４）の空間プロファイリング範囲は、本開示の自由空間通信技術を介して、別のユニット（例えば、４０４）から、付加的な空間プロファイリング情報（例えば、光４００Ａによって運ばれる）を受信することによって拡張することができ、逆も成り立つ。従って、２つのユニットは、空間プロファイリング情報を共用し、それらの個々の範囲を拡張することができる。
【００３４】
図１に示される一般的な形態において、本開示システム１００は、送出光を供給するように構成された光源１０２、送出光１２０を１つ又はそれ以上の方向に沿って環境１１０内に差し向けるように構成されたビームディレクタ１０３、及び、入来光１３０を検出するように構成された光検出器１０４を含み、この入来光は、環境１１０によって反射された送出光１２０の少なくとも一部分に対応する。検出される光に関連付けられる少なくとも１つの特徴は、１つ又はそれ以上の送出方向に関連付けられる環境１１０の空間プロファイルの推定のための距離情報を含む。ビームディレクタ１０３は、光源１０２及び光検出器１０４に光ファイバで結合される拡大光学系１０３Ａを含むことができる。ビームディレクタ１０３は、拡大光学系１０３Ａに自由空間結合される分散素子１０３Ｂを付加的に含むことができる。本開示システム１００は、送出光路１２５と入来光路１３５との少なくとも一部分が共用されるように、循環要素１０６を含むことができる。
【００３５】
当業者であれば、依拠する適切な特徴は送出光の形態に依存することを認識するであろう。送出光がパルスの形態である場合、適切な特徴は、パルスのピーク又は中心のラウンドトリップ時間を含むことができる。送出光が変調波形の形態である場合、適切な特徴は、入来光の位相シフト又は位相遅延を含むことができる。送出光が符号化されたパルス又は変調の形態である場合、適切な特徴は、入来光と符号とのクロス相関を含むことができる。
【００３６】
差し向けられる光には、送出通信情報が付与される。例えば、通信情報は変調器、例えば強度変調器又は位相変調器、によって光に付与することができる。図２に示されるように、本開示システム１００からの送出通信情報は、１つ又はそれ以上の方向のうちの少なくとも１つにおいて到達可能な通信受信器２０２によって受信されることになる。交通の文脈において、送出通信情報が可動ユニット（例えば、道路又は鉄道車両）から生成される場合、通信受信器を別の可動ユニット（例えば、別の道路又は鉄道車両）或いは静止ユニット（例えば、路側ユニット又は鉄道信号ユニット）の上に配置することができる。別の可動ユニットとの通信は、交通安全性を向上させるため（例えば、互いの衝突を避けるため）とすることができ、他方、静止ユニットとの通信は、位置関係ベースの情報を提供するため（例えば、周囲のユニットに前方の危険を警告するため、又は交通データを回収するため）とすることができる。幾つかの実施形態において、本開示システム１００は、距離情報及び／又は通信情報などの情報を処理するためのプロセッサ１０５を含む。当業者であれば、「プロセッサ」に対する言及は、単一ユニットより多くのプロセッサによる、又は分散処理による情報処理を含むことを意図するものであることを認識するであろう。
【００３７】
幾つかの配置において、通信受信器２０２は、通信受信器２０２によって受信される送出通信情報の受取りに応答して、敏感な通信情報を送信するための通信送信器２０４に動作可能に結合される。通信受信器２０２及び通信送信器２０４は一緒に単一ユニットとして通信送受信器とすることができる。代替的に、通信受信器２０２及び通信送信器２０４は分離される。
【００３８】
一配置において、送出光は、送出光を符号化するための最大長ベースのシーケンス（ＭＬＳ）を含む。例えば、ＭＬＳは一群のバーカーコードを含む。プロセッサは、距離情報を運ぶ符号化された入来光をＭＬＳに基づいて認証するように構成することができる。例えば、プロセッサは入来光を、送出光中に使用されたＭＬＳのローカルコピーと交差相関させて、入来光が認証されているかどうかを決定することができる。相関が高い（例えば、閾値信号レベルにおける又はそれより高い相関信号を生じる）場合、入来光が認証される。さもなければ即ち相関が低い（例えば、閾値信号レベルより低い相関信号を生じる）場合、入来光はなりすましによって生じた可能性があり、認証されない。一配置において、ＭＬＳの帯域幅は凡そ１０ＭＨｚと凡そ１ＧＨｚとの間である。別の配置において、ＭＬＳの帯域幅は凡そ５０ＭＨｚと凡そ２００ＭＨｚとの間である。さらに別の配置において、ＭＬＳの帯域幅は凡そ１００ＭＨｚである。一配置において、光源１０２は、ＭＬＳ上の１つ又はそれ以上の帯域内周波数において通信情報を符号化する符号化器（例えば、強度変調器及び／又は位相変調器）を含む。この配置においては、ＭＬＳ自体が、通信受信器２０２に通信される符号化された情報を表す。符号化された情報の帯域幅は、それ故に、ＭＬＳの帯域幅（例えば、凡そ１０ＭＨｚと凡そ１ＧＨｚとの間）に類似する。一例において、ＭＬＳは、低及び高強度レベルのような２進シーケンス（即ち２つのレベル）で表すことができる。別の例において、ＭＬＳは、２つより多くのレベルで表すことができる。２進の例において、ＭＬＳは、符号化される送信のための５１１ビット長シーケンス（２９−１＝５１１）を生成するための、情報の９ビットによってシードされる「ＭＬＳ９」シーケンスとすることができる。受信器２０２はＭＬＳ９シーケンスを復号して情報の９ビットの推定を再生するように構成することができる。この配置において、送信される情報は暗号化される。この配置は雑音耐性であるが、包括的且つより多くの信号処理を必要とする。通信帯域の使用を改善するために、ひとたびシステム１００が、通信受信器２０２に到達することができる方向を決定する（例えば、環境の第１の走査において）と、システム１００は、環境のその後の走査を省略するように構成することができ、通信情報を運ぶ光を、全ての情報が送信されるまで、通信受信器２０２に差し向けるように構成することができる。
【００３９】
代替的な一配置において、光源１０２は、ＭＬＳ上の１つ又はそれ以上の帯域外周波数において通信情報を符号化するための符号化器（例えば、強度変調器及び／又は位相変調器）を含む。この配置において、通信受信器２０２に通信される情報はＭＬＳ上に符号化される。それ故に、符号化された情報の帯域幅はＭＬＳの帯域幅より大きい（例えば、凡そ１又は数ＧＨｚを超える）。例えば、符号化器は、ＭＬＳの振幅又は強度の小さい振幅又は強度揺らぎ（例えば、１％）として通信を符号化することができる。揺らぎの帯域幅はＭＬＳ帯域幅には依存しないようにすることができる。この代替的配置のビット速度は、それ故に、凡そ１Ｇｂ／ｓ又はそれ以上とすることができる。通信情報を復号するために、通信受信器２０２は、通信情報を運ぶ帯域外周波数を強調するために、ＭＬＳの下層周波数（例えば、１ＧＨｚ未満）を抑制するためのハイパスフィルターを含むことができる。さらに代替的に、光源１０２は、ＭＬＳ上の帯域内及び帯域外周波数の両方において通信情報を符号化するための符号化器（例えば、強度変調器及び／又は位相変調器）を含む。当業者であれば、他の型のシーケンス、例えば、擬ランダム２進シーケンスをＭＬＳの代わりに使用することができることを認識するであろう。さらに、符号化器は、正弦変調を用いることなどにより、通信を非２進及び／又は非デジタル方式で符号化することができる。
【００４０】
一配置において、図１に示されるように、送出光は、１つ又はそれ以上の選択された波長チャネルλ１．．．λＮにおいて、１つ又はそれ以上の選択された波長チャネルλ１．．．λＮのそれぞれに対応する１つ又はそれ以上の方向に供給される。波長依存の方向性は、意図されない方向から送信及び／又は受信される通信情報を抑制するのに役立つ。この配置において、システム１００は固有の方向フィルターを提供する。例えば、システム１００を有し、一組の交通信号灯において対応する通信受信器２０２により停止する車両は、特定の方向（単数又は複数）及びそれ故に特定の波長チャネル（単数又は複数）において対応する通信受信器２０２と通信する。この例において、車両及び一組の交通信号灯の何れか又は両方は、通信目的のための特定の波長チャネル（単数又は複数）を自動追跡することができ、それ故に、ノイズ又は悪意ある攻撃、或いは通信情報が傍受される機会、を潜在的に減らす。
【００４１】
一配置において、通信情報は、送出光が差し向けられる全ての方向に一斉送信することができる。代替的に、通信情報は、方向のうちの１つのみ（即ち、ユニキャスト）又は幾つか（即ち、マルチキャスト）に向けられる光に付与することができる。この代替的配置において、通信情報は、差し向けられる光の差し向けを促進するために、推定される空間プロファイル内の認識可能物体プロファイルに基づいて、１つ又はそれ以上の選択された方向に付与することができる。物体プロファイルは、物体の形状、輪郭、及び／又は反射光強度を含むことができる。例えば、空間プロファイル推定のための連続走査の場合、環境１１０の第１の走査は、プロセッサ１０５が形状、輪郭、及び／又は反射強度の認識に基づいて、何れかの通信受信器の存在を決定することを可能にする。第１の操作によって決定された何れかの存在する通信受信器の方向（単数又は複数）に基づいて、本開示システム１００の何れかの速度情報（大きさ及び方向）を用いて又は用いずに、プロセッサ１０５は、第２の及びその後の走査における送出光が存在する通信受信器によって受信される可能性がある方向（単数又は複数）を決定することができる。この選択性は、不要な電力使用量を減らし、代替的に又は付加的に、通信情報が傍受される機会を減らす。
【００４２】
一配置において、光検出器１０４は、通信送信器２０４から、入来通信情報が付与された光を受信するための通信受信器（図示せず）を含む。この配置は、本開示システム１００（例えば、道路車両又は鉄道車両などの可動ユニットの上に配置される）と、環境１１０内の対応するシステム（例えば、別の可動ユニット或いは路側ユニット又は鉄道信号ユニットなどの静止ユニットの上に配置される）との間の双方向通信を可能にする。当業者であれば、システム１００に関するここでの記述は、対応するシステムに等しく当てはまることを認識するであろう。例えば、システム１００と同様に、対応するシステムは環境の空間プロファイルの推定を促進するように構成される。そのような推定は、対応するシステムが、システム１００からの通信情報の受取りに応答して、敏感な通信情報を運ぶ光をシステム１００に達するように差し向けることができる方向を決定することを可能にする。
【００４３】
別の態様において、環境の空間プロファイルの推定を促進する方法３００が提供される。方法３００は、送出光を供給するステップ３０２と、１つまたはそれ以上の方向に沿って環境内に送出光を差し向けるステップ３０４であって、差し向けられる光には、１つまたはそれ以上の方向の内の少なくとも１つにおいて到達可能な第１の通信受信器によって受信される送出通信情報が付与される、ステップ３０４と、入来光を検出するステップ３０６であって、入来光は環境によって反射された送出光の少なくとも一部分に対応する、ステップ３０６と、を含み、検出される光に関連付けられる少なくとも１つの特徴は、１つまたはそれ以上の送出方向に関連付けられる環境の空間プロファイルの推定のための距離情報を含む。
【００４４】
方法３００は、第１の通信受信器に差し向けられる、さらに別の送出通信情報を付与された光の１つまたはそれ以上の選択された方向を決定するステップと、さらに別の送出光を１つまたはそれ以上の選択された方向に沿って環境内に差し向けるステップと、をさらに含み、さらに別の差し向けられる光には、第１の通信受信器によって受信されるさらに別の送出通信情報が付与される。
【００４５】
本開示の別の態様において、通信受信器が内部に配置された環境の空間プロファイルの推定を促進するためのシステム１００から、通信情報が付与された差し向けられる光を受信する通信受信器２０２が提供される。通信受信器２０２は、システム１００によって認識可能な、認識可能物体プロファイルを含むことができる。この認識は、システム１００から差し向けられた光を通信受信器２０２に差し向ける助けとなり得る。物体プロファイルは、物体の形状、輪郭、及び／又は反射光強度を含むことができる。物体の反射光強度は、物体にわたる反射光強度の変化を含むことができる。例えば、反射光強度の変化は、バーコード又はＱＲコード（登録商標）の形におけるような、対比反射率の領域２０６を含む物体によって達成することができる。この例において、システム１００は、環境１１０の空間プロフィルの推定に関して、対比反射率の領域２０６によって達成される認識可能な反射光強度を認識するように、構成される。
【００４６】
一配置において、通信受信器２０２は、閾値ＦＯＶより大きい視野（ＦＯＶ、ｆｉｅｌｄ  ｏｆ  ｖｉｅｗ）を有することができる。広いＦＯＶは不十分な効率に関係するが、広いＦＯＶは、通信情報を運ぶ送信光の広い角度又は立体角度における収集を促進する。閾値ＦＯＶは、以下の因子の内の１つ又はそれ以上に依存し得る。
１．  閾値ＦＯＶは、システム１００のＦＯＶに依存し得る。例えば、通信受信器２０２のＦＯＶは、システム１００のＦＯＶより大きい。別の例において、通信受信器２０２のＦＯＶは、システム１００のＦＯＶよりも設定倍数（例えば、２、３、４、５、６、７、８、９又は１０倍）又は凡そ設定倍数だけ大きい。
２．  閾値ＦＯＶは、光収集に必要な角度に依存し得る。例えば、一組の交通信号灯は、その一組の交通信号灯において停止している車両から、特定の方向及びそれ故に特定の立体角に角度調整されている可能性がある。例えば、一組の交通信号灯において停止している初めの１０台の車両から通信情報を取り込むために、閾値ＦＯＶは、少なくとも１０台の平均車両長（車両間の距離を無視）離れて、通信情報を運ぶ送信光の収集を可能にすることに基づいて決定される。
３．  閾値ＦＯＶは、通信受信器２０２の最小限受信光強度に依存し得る。例えば、最小限受信光強度がＰｍｉｎＲｘ＝−２０ｄＢｍであり、システム１００を出発する送信光強度がＰＴｘ＝＋３０ｄＢｍである場合、ＦＯＶは、５０ｄＢ損失（ＰＴｘ−ＰｍｉｎＲｘ）にも耐えられるように、５０ｄＢ損失（ＰＴｘ−ＰｍｉｎＲｘ）に寄与するＦＯＶに対応する閾値ＦＯＶにより、増加させることができる。
【００４７】
一配置において、通信受信器２０２は、送信光の収集を促進するための光拡散体を含む。光拡散体は、その通信受信器２０２のＦＯＶを広げるように作用する。
【００４８】
一配置において、通信受信器２０２のＦＯＶは調節可能である。例えば、通信受信器２０２は、そのＦＯＶを調節するための望遠レンズシステムを含むことができる。その調節は、元のＦＯＶから拡大されたＦＯＶへの拡大とすることができる。別の例において、通信受信器２０２は、そのＦＯＶを調節するための交換可能レンズを含むことができる。ＦＯＶは、閾値ＦＯＶに基づいて調節することができ、閾値ＦＯＶは時間によって変化し得る。
【００４９】
今や本開示の配置が説明されているので、当業者には、少なくとも１つの説明された配置が以下の利点を有することが明白となるはずである。
・  距離又は測距ニーズのために使用される光エネルギーを同時に通信ニーズのためにも利用することができる。
・  波長依存の指向性が方向性フィルターを提供し、潜在的にノイズ又は悪意ある攻撃、或いは、通信情報が傍受される機会を減らす。
【００５０】
本明細書において開示され定義される本発明は、本文又は図面から示される若しくは明白な、２つ又はそれ以上の個々の特徴の全ての代替的な組合せに広がることを理解されたい。これらの異なる組合せの全ては、本発明の種々の代替的な態様を構成する。
【図１】
2020531836.tif 000003
【図２】
2020531836.tif 000004
【図３】
2020531836.tif 000005
【図４】
2020531836.tif 000006
【国際調査報告】
2020531836.tif 000007
2020531836.tif 000008
2020531836.tif 000009
2020531836.tif 000010